(57)【特許請求の範囲】
【請求項１】
便器本体と、
外枠と、
排水管路と
を備え、
前記便器本体は、底部に排出口を備え、
前記外枠は、
前記便器本体が取り外し可能に据え置かれる据置部と、
前記据置部に据え置かれた前記便器本体の外側を囲う周壁部と、
前記周壁部の底部に形成され、前記便器本体の底部を露出させる開口と
を備え、
前記排水管路は、
前記便器本体の前記排出口に接続された第１接続部と、
前記外枠の開口を通して前記外枠の外側に延びた管路部と、
前記管路部の先端に設けられ、外部配管に接続される第２接続部と
を備え、
前記外枠の前記開口は、前記便器本体に前記排水管路が取り付けられた状態で前記排水管路を前記外枠の内側に引き上げ可能な大きさを有している、
簡易トイレ。
【請求項２】
便器本体と、
外枠と、
排水管路と
を備え、
前記便器本体は、底部に排出口を備え、
前記外枠は、
前記便器本体が取り外し可能に据え置かれる据置部と、
前記据置部に据え置かれた前記便器本体の外側を囲う周壁部と、
前記周壁部の底部に形成され、前記便器本体の底部を露出させる開口と
を備え、
前記排水管路は、
前記便器本体の前記排出口に接続された第１接続部と、
前記外枠の開口を通して前記外枠の外側に延びた管路部と、
前記管路部の先端に設けられ、外部配管に接続される第２接続部と
を備え、
前記排水管路の管路部の中間部は、前記開口を通じて、前記外枠の内側でかつ前記便器本体の外側の内部空間に入り、前記便器本体の中間位置の予め定められた高さに延び、前記開口を通じて前記外枠の外側に出ている、簡易トイレ。
【請求項３】
前記排水管路の管路部の中間部は、折れ曲がった折曲部を複数備えた、請求項２に記載された簡易トイレ。
【請求項４】
前記排水管路の管路部は、
前記第１接続部から横向きに折れ曲がった第１折曲部と、
前記第１折曲部から横向きに延びた第１管部と、
前記第１管部から上方に折れ曲がった第２折曲部と、
前記第２折曲部から前記開口を通って前記内部空間まで上方に延びた第２管部と、
前記内部空間を延びた内部管部と、
前記内部管部から前記開口を通って前記外枠の外側まで下方に延びた第３管部と、
前記第３管部から横向きに折れ曲がった第３折曲部と、
前記第３折曲部から、前記第２接続部まで延びた外部管部と
を備えた、請求項１から３までの何れか一項に記載された簡易トイレ。
【請求項５】
便器本体と、
外枠と、
排水管路と
を備え、
前記便器本体は、底部に排出口を備え、
前記外枠は、
前記便器本体が取り外し可能に据え置かれる据置部と、
前記据置部に据え置かれた前記便器本体の外側を囲う周壁部と、
前記周壁部の底部に形成され、前記便器本体の底部を露出させる開口と
を備え、
前記排水管路は、
前記便器本体の前記排出口に接続された第１接続部と、
前記外枠の開口を通して前記外枠の外側に延びた管路部と、
前記管路部の先端に設けられ、外部配管に接続される第２接続部と
を備え、
前記排水管路の管路部は、
前記第１接続部から横向きに折れ曲がった第１折曲部と、
前記第１折曲部から横向きに延びた第１管部と、
前記第１管部から上方に折れ曲がった第２折曲部と、
前記第２折曲部から前記開口を通って前記内部空間まで上方に延びた第２管部と、
前記内部空間を延びた内部管部と、
前記内部管部から前記開口を通って前記外枠の外側まで下方に延びた第３管部と、
前記第３管部から横向きに折れ曲がった第３折曲部と、
前記第３折曲部から、前記第２接続部まで延びた外部管部と
を備えた、簡易トイレ。
【請求項６】
前記内部管部は、折れ曲がった折曲部を複数備えた、請求項４または５に記載された簡易トイレ。
【請求項７】
前記外枠の前記開口の周りに内壁が設けられた、請求項１から６までの何れか一項に記載された簡易トイレ。
【発明の詳細な説明】
【技術分野】
【０００１】
本発明は、簡易トイレに関する。
【背景技術】
【０００２】
例えば、特開２０１４−１９４１３６号公報として、負圧吸引式トイレが提案されている。ここで提案される負圧吸引式トイレは、底部に排出口を有する便器本体と、便器本体が取り外し可能に据え置かれる据置部を備えた外枠と、便器本体の前記排出口に着脱自在に接続された排水管路と、排水管路に接続された負圧タンクとを備えている。かかる負圧吸引式トイレによれば、便器本体から排水管路を通じて負圧タンクに吸引され、特に、簡易トイレに適用された場合に簡易トイレの汚水処理が容易になる。
【先行技術文献】
【特許文献】
【０００３】
【特許文献１】特開２０１４−１９４１３６号公報
【発明の概要】
【発明が解決しようとする課題】
【０００４】
便器本体と外枠との間に隙間があり、便器本体と外枠との間に尿が入り込む場合がある。便器本体と外枠との間に入り込んだ尿が、外枠から漏れるのを防止したい。また、他の観点において、清掃のため、便器本体をできるだけ容易に外枠から取り外せることが好ましい。
【課題を解決するための手段】
【０００５】
ここで提案される簡易トイレは、便器本体と、外枠と、排水管路とを備えている。便器本体は、底部に排出口を備えている。外枠は、便器本体が取り外し可能に据え置かれる据置部と、据置部に据え置かれた便器本体の外側を囲う周壁部と、前記周壁部の底部に形成され、便器本体の底部を露出させる開口とを備えている。排水管路は、便器本体の排出口に接続された第１接続部と、外枠の開口を通して外枠の外側に延びた管路部と、管路部の先端に設けられ、外部配管に接続される第２接続部とを備えている。かかる簡易トイレによれば、簡易トイレの底部において、便器本体の排出口に接続された第１接続部および排水管路が露出する。このため、排水管路のメンテナンスが容易である。
【０００６】
簡易トイレは、外枠の開口の周りに内壁が設けられていてもよい。この場合、便器本体と外枠との間に入り込んだ尿が、外枠から漏れるのを防止できる。また、外枠の開口は、便器本体が外枠から取り外される際に、排水管路を外枠の内側に引き上げ可能な大きさを有していてもよい。かかる構成により、排水管路が取り付けられた状態で便器本体を外枠から取り外せるようになる。排水管路の管路部の中間部は、開口を通じて、外枠の内側でかつ便器本体の外側の内部空間に入り、便器本体の中間位置の予め定められた高さに延び、開口を通じて外枠の外側に出ていてもよい。
【０００７】
また、排水管路の管路部は、折れ曲がった折曲部を複数備えていてもよい。例えば、排水管路の管路部は、第１接続部から横向きに折れ曲がった第１折曲部と、第１折曲部から横向きに延びた第１管部と、第１管部から上方に折れ曲がった第２折曲部と、第２折曲部から開口を通って前記内部空間まで上方に延びた第２管部と、内部空間を延びた内部管部と、内部管部から開口を通って外枠の外側まで下方に延びた第３管部と、第３管部から横向きに折れ曲がった第３折曲部と、第３折曲部から、第２接続部まで延びた外部管部とを備えているとよい。さらに、内部管部は、折れ曲がった複数の折曲部を備えていてもよい。
【図面の簡単な説明】
【０００８】
【図１】図１は、簡易トイレ１０の斜視図である。
【図２】図２は、簡易トイレ１０の底面図である。
【図３】図３は、簡易トイレ１０の左側面図である。
【図４】図４は、トイレ本体２２１の平面図である。
【図５】図５は、トイレ本体２２１に据え置かれたトレイ２２２を示す平面図である。
【図６】図６は、図５の状態からさらにトレイ２２２に装着された便器本体１００を示す平面図である。
【図７】図７は、図６の状態からトレイ２２２に便座１７０が取り付けられた状態を示す平面図である。
【図８】図８は、便器本体１００の縦断側面図である。
【図９】図９は、排水管路３００の平面図である。
【図１０】図１０は、排水管路３００の右側面図である。
【図１１】図１１は、便器本体１００を外枠２００から取り外す工程を図示す左側面図である。
【図１２】内壁の加工方法について、他の形態を例示する模式図である。
【図１３】内壁の加工方法について、他の形態を例示する模式図である。
【図１４】内壁の加工方法について、他の形態を例示する模式図である。
【発明を実施するための形態】
【０００９】
以下、ここで提案される簡易トイレを図面に基づいて説明する。なお、ここで説明する実施形態および実施例は、簡易トイレの好適な一形態を例示するものであるが、特段の言及がない限りにおいて、本願発明を限定しない。また、図面は、必ずしも実際の製品の寸法を表すものではなく、適宜に簡略化して図示されている。
【００１０】
ここでは、簡易トイレを使用する使用者が、背もたれに背を向け、手前側に体の正面を向けた通常の使用状態で簡易トイレに座った姿勢を基準に方向が定められている。つまり、簡易トイレの正面側を前（Ｆ）、背面側を後ろ（Ｂ）とし、左（Ｌ）、右（Ｒ）が設定されている。また、簡易トイレが通常設置された状態で上（Ｕ）、下（Ｄ）が設定されている。図面には、適宜に、前後左右上下に括弧内のアルファベットを付している。
【００１１】
図１は、簡易トイレ１０の斜視図である。図２は、簡易トイレ１０の底面図である。図３は、簡易トイレ１０の部分断面図である。図３では、脚１２、１３、肘掛け１４、１５、背もたれ１６、便座１７０、上蓋１７２（図１参照）が取り外された状態で、トイレ本体２２１の内部に据え置かれる便器本体１００と、排水管路３００とが見えるように部分的な断面図が図示されている。図４は、トイレ本体２２１の平面図である。図５は、上面にトレイ２２２が据え置かれたトイレ本体２２１を示す平面図である。図６は、図５の状態からさらにトレイ２２２に装着された便器本体１００を示す平面図である。図７は、図６の状態からトレイ２２２に便座１７０が取り付けられた状態を示す平面図である。図８は、便器本体１００の縦断側面図である。
【００１２】
〈簡易トイレ１０の概略構成〉
簡易トイレ１０は、図１から図５に示すように、便器本体１００（図３参照）と、外枠２００と、排水管路３００（図２参照）とを備えている。また、この実施形態では、簡易トイレ１０は、図１から図３に示すように、脚１２、１３と、肘掛け１４、１５と、背もたれ１６と、給水タンク１８と、脱臭装置２０とを備えている。この実施形態では、脚１２、１３の後部にそれぞれキャスター１２ａ、１３ａが取り付けられている。この簡易トイレ１０は、室内に配置することができ、便器本体１００に溜まった汚水を、排水管路３００を通じて外部に排出できる構造を備えている。排水管路３００は、図３に示すように、簡略化しているが、例えば、負圧タンク４００に接続された外部配管４０１に接続されるとよい。
【００１３】
〈便器本体１００〉
便器本体１００は、図６および図８に示すように、底部１０１に排出口１０１ａを有している。便器本体１００は、排出口１０１ａに向かうほど徐々に低くなり、かつ、排出口１０１ａに向かうほど空間が狭くなった周面を有している。便器本体１００の上部１０２の前側は、平面視において排出口１０１ａが設けられる位置に対し、後ろ側よりも広くなっている。便器本体１００の上縁１０２ａは外側に折り返っている。この実施形態では、折り返った部位の内側には、周方向の複数の位置にリブ１０２ａ１（図８参照）が設けられている。便器本体１００の上には、図７に示すように、便座１７０が配置される。便器本体１００の底部１０１は、便座１７０に腰掛けた使用者の臀部が納まるように開口している。便器本体１００の底部１０１には、便座１７０に腰掛けた使用者の臀部が納まる位置に合わせて排出口１０１ａが設けられている。この実施形態では、排出口１０１ａは、便器本体１００のやや後方に設けられている。排出口１０１ａは、便器本体１００の底部１０１を貫通しており、便器本体１００の裏面（底面）において、排水管路３００に接続する接続部１１０が設けられている。
【００１４】
この実施形態では、図８に示すように、便器本体１００の底部１０１には、排出口１０１ａの周囲に、便受部１１１と、段差部１１２と、傾斜面部１１３とが設けられている。便受部１１１は、排出口１０１ａを中心として、排出口１０１ａの上縁１０１ａ１から上方に向かうにつれてテーパ状に広くなった逆円錐状の傾斜面を有している。段差部１１２は、テーパ状に広くなった便受部１１１の上縁１１１ａから上方に立ち上がり、便受部１１１と傾斜面部１１３との間に形成された段差である。傾斜面部１１３は、段差部１１２の上縁１１２ａから上方に向けて便器本体１００が徐々に広くなるように傾斜している。
【００１５】
かかる排出口１０１ａの周囲の構造によれば、長い便は、傾斜面部１１３に沿って排出口１０１ａに向かう姿勢となりやすい。この際、便の下端部は、便受部１１１は、便を受け止められる。長い便は、段差部１１２の上縁１１２ａに当たって折れ曲がりやすくなり、吸引の際に、給水が便の周りに回り込む隙間が生じやすい。このため、長い便でも、負圧吸引の際に、便が適当に折れて、排出口１０１ａにスムーズに引き込まれ易い。この実施形態では、接続部１１０として、便器本体１００の裏面において、下方に突出した管１１４が設けられている。便器本体１００には、内周面の上方に、洗浄液を供給する複数（図示例では、４つ）のノズル１２０が取り付けられている。
【００１６】
〈外枠２００〉
外枠２００は、図３に示すように、据置部２０１と、周壁部２０２と、開口２０３と、内壁２０４とを備えている。据置部２０１は、便器本体１００が取り外し可能に据え置かれる部位である。周壁部２０２は、据置部２０１に据え置かれた便器本体１００の外側を囲う部位である。開口２０３は、便器本体１００の底部１０１を露出させるように形成されている。内壁２０４は、開口２０３の周りに設けられている。
【００１７】
この実施形態では、外枠２００は、具体的には、トイレ本体２２１と、トイレ本体２２１に取り付けられたトレイ２２２とで構成されている。この実施形態では、トイレ本体２２１は、さらに上側部材２４０と、下側部材２６０とを備えている。この実施形態では、上側部材２４０と、下側部材２６０とは、上下に組み合わされる部材である。
【００１８】
〈上側部材２４０〉
上側部材２４０は、図１および図４に示すように、上面部２４１と、側面部２４２とを有している。上側部材２４０の側面部２４２は、上面部２４１の周縁から下方に延びている。上側部材２４０の上面部２４１には、図４に示すように、トレイ２２２を載置する載置部２４５と、便器本体１００の収容する窪み２４６とを備えている。便器本体１００を収容する窪み２４６の底に開口２４７が形成されている。開口２４７は、便器本体１００が取り外される際に、便器本体１００に排水管路３００が取り付けられた状態で、トイレ本体２２１の内側に上方に引き上げ可能な大きさを有している。
【００１９】
この実施形態では、開口２４７は、円形の孔である。内壁２０４は、上側部材２４０の開口２４７の周りに設けられている。上側部材２４０の開口２４７には、別体で樹脂成形されたフランジ２４８ａ付きの管材２４８が取り付けられている。かかる管材２４８の内径は、上側部材２４０の開口２４７に対応してほぼ同じ大きさを有している。フランジ２４８ａは、上側部材２４０の窪み２４６の底に対応した形状を有している。管材２４８は、図３に示すように、上側部材２４０の窪み２４６の底の上面に、フランジ２４８ａを載置して接着されている。ここで、上側部材２４０の窪み２４６の底と、フランジ２４８ａとは、接着性を有する樹脂を介在させて隙間なく接着されている。
【００２０】
開口２０３の周囲に設ける内壁２０４の高さは、例えば、外枠２００の底部に溜まった液体が開口２０３から流れ落ちるのを防止するとの観点において、内壁２０４の高さは５ｍｍ以上であるとよく、より好ましくは２０ｍｍ以上であるとよい。また、内壁２０４の高さは、例えば、１５０ｍｍ以下であれば十分であり、より好ましくは８０ｍｍ以下であるとよい。また、内壁２０４によって、外枠２００の底部に溜めることのできる液体の容量は、例えば、２００ｍｌ以上、より好ましくは５００ｍｌ以上であるとよい。この場合、一回の排尿の量を考慮すれば、当該外枠２００の底部に漏れうる液体を溜めうる。かかる観点において、外枠２００の底部に溜めることのできる液体の容量は、例えば、３０００ｍｌ以下でよく、具体的には２０００ｍｌ以下であっても十分である。
【００２１】
また、上側部材２４０の上面部２４１は、上述したトレイ２２２が載置される載置部２４５の両側が高くなっている。当該部位には、肘掛け１４、１５を取り付ける取付部２５１が設けられている。肘掛け１４、１５を取り付ける取付部２５１の後部には、背もたれ１６を取り付ける取付部２５２が設けられている。また、トレイ２２２が載置される載置部２４５の後部には、脱臭装置２０を取り付ける取付部２５３が設けられている。この実施形態では、脱臭装置２０は、トイレ本体２２１の後部に取り付けられる。給水タンク１８は、脱臭装置２０のさらに後ろに取り付けられている。上側部材２４０の上面部２４１には、後部の脱臭装置２０に向けて溝２４９が形成されている。当該溝２４９に沿って、外枠２００の底部に漏れた尿から生じる臭気や、便器本体１００から生じる臭気を後部に向けて吸い込むダクトが形成される。また、上側部材２４０の上面には、脱臭装置２０のセンサが載置される載置部２５４が設けられている。なお、この実施形態では、簡易トイレ１０は、脱臭装置２０を備えているが、簡易トイレ１０において、脱臭装置２０は任意に採用される装置であり、必ずしも必須の装置ではない。
【００２２】
〈下側部材２６０〉
次に、下側部材２６０は、図３に示すように、上側部材２４０の裏面（底面）を全体として下側から覆っている。下側部材２６０は、底部２６１と、側面部２６２とを有している。下側部材２６０の側面部２６２は、底部２６１の周縁から上方に立ち上がっている。上側部材２４０の側面部２４２の下縁２４３と、下側部材２６０の側面部２６２の上縁２６３とは、図１および図３に示すように、上下に組み合わされている。上側部材２４０の側面部２４２と、下側部材２６０側面部２６２とは、トイレ本体２２１の外側面において大凡連続している。図示は省略するが、上側部材２４０と下側部材２６０とが組み合わされる部位は、内側面において、複数の位置でピン係合あるいはねじ２８０によってねじ止めされている。ピン係合あるいはねじ２８０によってねじ止めされた位置は、主に上側部材２４０の周縁部に複数設けられている。
【００２３】
下側部材２６０の底部２６１には、脚１２、１３を取り付けるための取付部２６５が設けられている。この実施形態では、詳細な図示は、省略するが、取付部２６５は、下側部材２６０の底部２６１の四隅に設けられている。また、取付部２６５には、図３に示すように、トイレ本体２２１の内部に突出した筒状の支持部２６５ａが設けられており、当該支持部の周りに複数のリブ２６５ｂが設けられている。
【００２４】
また、下側部材２６０の底部２６１には、図２に示すように、上側部材２４０の開口２４７に対して位置が合うように、開口２６７が形成されている。この実施形態では、下側部材２６０の開口２６７は、上側部材２４０の開口２４７よりも少し大きく、略四角形に開口している。この実施形態では、当該開口２６７の縁は、上側部材２４０の底面２５１（裏面）に向けて周方向の上方に立ち上がったリブ２６７ａが設けられている。上側部材２４０の底面２５１には、開口２４７の周囲に下方に延びたリブ２５１ａが設けられている。上側部材２４０の底面２５１のリブ２５１ａは、下側部材２６０のリブ２６７ａの外側に配置されており、下側部材２６０の底部２６１に当たっている。これにより、上側部材２４０の荷重を下側部材２６０の底部２６１で受けている。このように、上側部材２４０の底面２５１は、一部において、下側部材２６０に指示されているとよい。
【００２５】
〈トレイ２２２〉
トレイ２２２には、図３および図５に示すように、上側部材２４０の上面部２４１に設けられた載置部２４５に載置されている。トレイ２２２の中央部には、便器本体１００が嵌まる開口２３１が設けられている。当該開口２３１の縁には、上方に立ち上がった壁部２３２が設けられている。当該壁部２３２の上縁２３２ａには、図３および図６に示すように、便器本体１００の外側に折り返った上縁１０２ａが置かれる。外枠２００の据置部２０１は、かかる壁部２３２の上縁２３２ａに設けられている。また、壁部２３２の周りには、窪み２３３が形成されている。窪み２３３は、開口２３１の周りに沿って設けられている。かかる窪み２３３は、便器本体１００から漏れた尿などの汚水を受ける部位となる。
【００２６】
トレイ２２２の開口２３１の後部には、臭気の吸い込み口２３４が設けられている。かかる吸い込み口２３４は、上側部材２４０の上面部２４１に設けられた溝２４９（図３および図４参照）に連通しており、溝２４９を通じて脱臭装置２０へ連通している。このため、窪み２３３に漏れた尿や汚水から生じる臭気は、脱臭装置２０に吸い込まれる。
【００２７】
トレイ２２２には、便座１７０と、上蓋１７２と、脱臭装置２０のセンサ（図示省略）が取り付けられる。かかる窪み２３３の周りで、後部の左右両側に、便座１７０を取り付ける取付部２３５が設けられている。トレイ２２２の後部の左右両側において、取付部２３５の後ろには、上蓋１７２を取り付ける取付部２３６が設けられている。トレイ２２２に対して、便座１７０および上蓋１７２は、それぞれ後方に回動可能に取り付けられる。また、トレイ２２２と一緒に、トイレ本体２２１の上部（上側部材２４０の上面部２４１）から取り外すことができる。トレイ２２２の後部右側には、上側部材２４０の上面部２４１に設けられた脱臭装置２０のセンサを載置する載置部２５４を露出させる切り欠き２３７が設けられている。トレイ２２２の開口２３１には、蓋２３８（図１参照）が取り付けられる。
【００２８】
〈排水管路３００〉
図９は、排水管路３００の平面図であり、図１０は、排水管路３００の右側面図である。排水管路３００は、図９および図１０に示すように、第１接続部３０１と、管路部３０２と、第２接続部３０３とを備えている。
【００２９】
第１接続部３０１は、図３に示すように、便器本体１００の排出口１０１ａに接続されている。この実施形態では、便器本体１００の排出口１０１ａは、上述したように下方に管１１４が延びている。第１接続部３０１は、当該管１１４に取り付けられる部位である。この実施形態では、第１接続部３０１は、管１１４の外側に装着された接続管で構成されている。
【００３０】
管路部３０２は、外枠２００の開口２０３（この実施形態では、上側部材２４０の開口２４７および下側部材２６０の開口２６７）を通して外枠２００（この実施形態では、トイレ本体２２１）の外側に延びている。
【００３１】
第２接続部３０３は、管路部３０２の先端に設けられ、外部配管４０１に接続される。第２接続部３０３は、外部配管４０１に連結可能な連結管で構成されている。ここでは、使用者が、工具を使わずに、外部配管４０１と連結したり、取り外したりできる構造であるとよい。
【００３２】
排水管路３００は、外部配管４０１を通じて負圧タンク４００に接続される。排水管路３００は、吸引時の負圧に対して内径を維持できるように配管であることが好ましい。この実施形態では、硬質ポリエチレン製やポリ塩化ビニル製の管など、所要の剛性と耐食性と軽さを有する樹脂製の配管が用いられている。また、外部管部３２８については、耐圧性を有しつつ変形可能な配管を用いてもよい。このような配管は、排水管路３００を引き上げる際に、外部管部３２８が変形可能となり、外枠２００に形成する開口２０３を小さくすることができる。この場合、外部管部３２８は、所要の柔軟性と耐食性と軽さを有しているとよい。このような耐圧性を有しつつ変形可能な配管としては、例えば、軟質ポリエチレン製、軟質ポリエチレン製あるいはゴム製の耐圧ホースやサクションホースが用いられうる。耐圧ホースやサクションホースは、例えば、リブ構造によって、または、繊維やコイルが含まれていることによって管路に所要の耐圧性が確保されているものが知られている。
【００３３】
管路部３０２の中間部は、外枠２００の開口２０３を通じて、外枠２００の内側でかつ便器本体１００の外側の内部空間２１０に入っている。内部空間２１０において、管路部３０２の中間部は、便器本体１００の中間位置の予め定められた高さまで延び、その後、開口２０３を通じて外枠２００の外側に出ている。
【００３４】
つまり、排水管路３００は、上述した管路部３０２において、便器本体１００に対して予め定められた高さまで立ち上がった立ち上がり部３０２ａを備えている。立ち上がり部３０２ａが設けられていることによって、給水時には、立ち上がり部３０２ａの最上部の管路の底３０２ａ１の高さｈ１まで、便器本体１００および排水管路３００に水が溜まる（図１０参照）。便器本体１００および排水管路３００には、高さｈ１までに所要の容量が確保されている。高さｈ１までにおいて確保される容量は、人の一般的な排便の量あるいは排尿の量を考慮して定めるとよく、高さｈ１についてもかかる容量を考慮して定めるとよい。
【００３５】
内部空間２１０には、立ち上がり部３０２ａを含む管路部３０２の中間部が配管されている。この実施形態では、排水管路３００の管路部３０２は、図２、図３、図９および図１０に示すように、第１折曲部３２１と、第１管部３２２と、第２折曲部３２３と、第２管部３２４と、内部管部３２５と、第３管部３２６と、第３折曲部３２７と、外部管部３２８とを備えている。
【００３６】
第１接続部３０１は第１折曲部３２１に接続されている。第１折曲部３２１では、管路が横向きに折れ曲がっている。第１折曲部３２１に接続された第１管部３２２は、横向きに延びており、第２折曲部３２３に接続されている。第２折曲部３２３では、管路が上方に折れ曲がっている。第２折曲部３２３に接続された第２管部３２４は、外枠２００の開口２０３を通って外枠２００と便器本体１００との間の内部空間２１０に向けて上方に延びている。内部空間２１０には、内部管部３２５が延びている。内部管部３２５に接続された第３管部３２６は、開口２０３を通って外枠２００の外側まで下方に延びている。第３管部３２６に接続された第３折曲部３２７では、管路が横向きに折れ曲がっている。この実施形態では、内部管部３２５には、予め定められた高さｈ１（図１０参照）まで立ち上がった立ち上がり部３０２ａが設けられている。このように、立ち上がり部３０２ａは、開口２０３を通じて、内部空間２１０に設けられている。
【００３７】
〈外部管部３２８〉
外部管部３２８は、第３折曲部３２７から第２接続部３０３まで延びている。外部管部３２８は、図２に示すように、トイレ本体２２１の底部において、脚１２、１３の間を後方に延び、トイレ本体２２１の後部まで配置されている。このため、トイレ本体２２１の後部から、トイレ本体２２１の下に手を入れれば、外部管部３２８の後部に設けられた第２接続部３０３に手が届き、外部配管４０１の接続や取り外しが行えるようになっている。また、外部管部３２８は、排水管路３００において、比較的長い管路である。この実施形態では、外部管部３２８の中間部やや後ろ側の部位において、トイレ本体２２１の底に固定された金具３４０に管が保持されている。かかる金具３４０は、蝶ボルト３４２で取り付けられており、工具を使わずに取り付け取り外しが可能である。なお、外部管部３２８をトイレ本体２２１に保持する部材は、かかる構成に言及されず種々の固定方法が採用されうる。
【００３８】
このように、外部管部３２８をトイレ本体２２１に保持することによって、排水管路３００や便器本体１００に変形が及ぶのを防ぎ、破損や変形を防止できる。例えば、簡易トイレ１０を動かす際や、外部配管４０１が踏まれた場合などに、意図せず、外部管部３２８が引っ張られたり、外部管部３２８に外力がかかったりする。このような場合において、外部管部３２８をトイレ本体２２１に保持することによって、排水管路３００の第１接続部３０１および便器本体１００の排出口１０１ａが保護される。また、金具３４０の取り付け位置は、簡易トイレ１０の側面から手を伸ばして、取り外しができることが好ましい。また、金具３４０を取り付ける締結部材は、蝶ボルト３４２に限定されず、簡単な作業で着脱できる機構が好ましい。
【００３９】
この実施形態における管路部３０２の構造をさらに詳しく述べる。管路部３０２は、図９および図１０に示すように、第１接続部３０１から垂直に下方に延びた配管の下端に、第１折曲部３２１が設けられている。第１折曲部３２１は、９０度に折れ曲がった配管であり、管路を水平に折曲させるとともに、右前方に向けている（図９参照）。第１管部３２２は、第１折曲部３２１から右前方に延びている。第２折曲部３２３は、第１管部３２２の先端から上方に折れ曲がった配管である（図１０参照）。第２管部３２４は、第２折曲部３２３から上方に延びた管部である。ここで、第２管部３２４は、便器本体１００の底部１０１の外側において、右前方に立ち上がっている。第２管部３２４は、図３に示すように、途中から内部空間２１０に侵入する。
【００４０】
内部空間２１０に配管される内部管部３２５は、図９に示すように、第１折曲部３３１と、第１管路３３２と、第２折曲部３３３と、第２管路３３４と、第３折曲部３３５と、第３管路３３６と、第４折曲部３３７とを備えている。図９において、２点鎖線Ｄ１は、便器本体１００に取り付けられた状態で、内部管部３２５の第２管路３３４の高さでの便器本体１００の底部１０１の大凡の外形線を示している。かかる内部管部３２５は、図９に示すように、便器本体１００の底部１０１の周りに配置されている。
【００４１】
第１折曲部３３１は、図９に示すように、第２管部３２４の上端に設けられている。この実施形態では、第１折曲部３３１では、管路が水平に曲げられるとともに、前方に向けられている。第１管路３３２は、第１折曲部３３１から前方に延びている。便器本体１００との関係では、第１管路３３２は、便器本体１００の底部１０１の右方において、右側前方に延びている。第２折曲部３３３は、第１管路３３２の先端に設けられている。第２折曲部３３３では、図９に示すように、管路が左側に９０度に曲げられている。第２折曲部３３３に接続された第２管路３３４は、便器本体１００の底部１０１の前方において、右側から左側に横方向に延びている。第２管路３３４の先端には、第３折曲部３３５が設けられている。
【００４２】
第３折曲部３３５では、管路が後方に曲げられている。第３折曲部３３５に接続された第３管路３３６は、図３に示すように、便器本体１００の底部１０１の左側において前方から後方に延びている。第３管路３３６の後端には、第４折曲部３３７が設けられている。第４折曲部３３７では、管路が下方に曲げられている。第４折曲部３３７には、上述した第３管部３２６が接続されている。第３管部３２６は、開口２６７を通して内部空間２１０から外枠２００の外側に出ている。第３管部３２６の下端には、第３折曲部３２７が設けられている。第３折曲部３２７では、管路が後方に曲げられており、外部管部３２８に接続されている。
【００４３】
このように、排水管路３００の管路部３０２は、複数の折曲部を備えている。この実施形態では、図３、図９および図１０に示すように、第１折曲部３２１、第２折曲部３２３、第３折曲部３２７を備えている。さらに、管路部３０２は、内部管部３２５に、複数の折曲部３３１、３３３、３３５、３３７を備えている。このような折曲部は、渦流が生じやすく、便が粉砕され易いため、便を含む汚水を負圧吸引によってスムーズに流すことができる。この実施形態では、上述した折曲部には、管路を大凡９０度に曲がった汎用の配管が用いられている。９０度に曲がった管路は、特に、渦流が生じやすく、便が粉砕され易く、便を含む汚水を負圧吸引によってスムーズに流すことができる。
【００４４】
なお、この実施形態では、折曲部において管路が９０度に曲げられている。これは折曲部の好適な形態の１つに過ぎない。折曲部は、管路を大凡３０度以上の角度で曲げる部位であればよく、曲げる角度は必ずしも９０度に限定されない。ここで、折曲部の角度は、折曲部に接続された直線上の管路の中心線が交わる角度を意味する。そして、折曲部に接続された一方の直線上の管路の中心線を延伸した仮想線を基準とし、折曲部に接続された他方の管路の中心線が当該仮想線に沿って延びた状態を０度とし、当該他方の管路が仮想線に交わる角度を意味する。
【００４５】
この実施形態では、簡易トイレ１０の外枠２００は、便器本体１００が取り外し可能に据え置かれる据置部２０１と、据置部２０１に据え置かれた便器本体１００の外側を囲う周壁部２０２と、周壁部２０２の底部に形成され、便器本体１００の底部１０１を露出させる開口２０３とを備えている。そして、開口２０３の周りに内壁２０４が設けられている。
【００４６】
例えば、この簡易トイレ１０によれば、図３に示すように、外枠２００には、上側部材２４０の上にトレイ２２２が配置され、その上に便器本体１００が据え置かれている。ここで、便器本体１００とトレイ２２２との間や、トレイ２２２と上側部材２４０との間に、隙間がある。このため、使用者が使用する際に、これらの隙間から尿が入り込む余地がある。入り込んだ尿は、上側部材２４０の底部に溜まる。この簡易トイレ１０では、外枠２００の開口２０３に内壁２０４が設けられている。このため、上側部材２４０の底部に尿が入り込んだ場合でも床に漏れにくくなっている。
【００４７】
また、この実施形態では、外枠２００の開口２０３は、便器本体１００が外枠２００から取り外される際に、排水管路３００を外枠２００の内側に引き上げ可能な大きさを有している。図１１は、便器本体１００を外枠２００から取り外す工程を図示した左側面図である。便器本体１００は、図３では、断面図であるが、図１１では、便器本体１００は、外観が描かれている。なお、図１１において、ノズル１２０（図３参照）に接続される給水管は、図示が省略されている。
【００４８】
便器本体１００を外枠２００から取り外す際には、図１１に示すように、外部配管４０１および金具３４０を排水管路３００から取り外す。そして、トレイ２２２に据え置かれた便器本体１００を、上方に引き上げつつ、外枠２００の開口２０３から、排水管路３００を引き上げる。この実施形態では、排水管路３００は、外部管部３２８が後方に延びているので、便器本体１００の前側を上方に傾けることによって、開口２０３を通して排水管路３００を引き上げることができる。このように、外枠２００の開口２０３は、便器本体１００が外枠２００から取り外される際に、排水管路３００を外枠２００の内側に引き上げ可能な大きさを有している。このため、便器本体１００に排水管路３００が取り付けられた状態で、外枠２００から便器本体１００を取り外すことができる。なお、便器本体１００を取り外す際には、排水管路３００に残る汚水が垂れるのを防止するため、第２接続部３０３に適当なキャップ（図示省略）を取り付けるとよい。
【００４９】
この実施形態では、排水管路３００の管路部３０２の中間部は、図３に示すように、開口２０３を通じて、外枠２００と便器本体１００との間の内部空間２１０に入っている。そして、便器本体１００の中間位置の予め定められた高さｈ１に延び、開口２０３を通じて外枠２００の外側に出ている。このように、予め定められた高さｈ１に延びた立ち上がり部３０２ａが、開口２０３を通じて内部空間２１０に設けられている。また、排水管路３００の管路部３０２は、便器本体１００の中間位置の予め定められた高さｈ１に延びている。このため、便器本体１００に予め定められた量の水が溜められる。また、排水管路３００の管路部３０２の中間部が、開口２０３を通じて内部空間２１０に配されている。開口２０３は、当該管路部３０２の構成に応じて広く形成されているとよい。立ち上がり部３０２ａを含む管路部３０２の中間部が、開口２０３を通じて内部空間２１０に形成されているので、便器本体１００を引き上げる際に、排水管路３００のうち開口２０３を通過する管路が少なくなる。このため、開口２０３を小さくできる。
【００５０】
さらに、管路部３０２には、複数の折曲部が設けられているとよい。さらに、当該内部空間２１０に配置された内部管部３２５にも複数の折曲部が設けられているとよい。このように、複数の折曲部が設けられているため、汚水中の便が、負圧吸引の際に適当な大きさに粉砕される。このため、便を含む汚水をスムーズに流すことができる。また、複数の折曲部を含む内部管部３２５は、外枠２００の開口２０３よりも内側に設けられている。内部管部３２５は、便器本体１００を据え置く際や取り外す際の作業の邪魔にならない。このため、便器本体１００を据え置く際や取り外す際の作業性がよい。
【００５１】
なお、排水管路３００について、具体的な配管の構造は、上述した実施形態に限定されない。特に、便器本体１００を据え置く際や取り外す際の作業性を考慮した場合、排水管路３００の管路部３０２の中間部は、開口２０３を通じて外枠２００の内部空間２１０に配されている。複数の折曲部を有し、配管としてかさばる管路部３０２の中間部が、外枠２００の内側にある。このため、排水管路３００を接続したまま便器本体１００を引き上げる際に、管路部３０２が邪魔になりにくい。同様の観点において、開口２０３を通じて内部空間２１０に配された管路部３０２の中間部は、図３に示すように、便器本体１００の近傍に配置させることが望ましい。
【００５２】
また、上述したように、外枠２００の開口２０３の形状としては、第１接続部３０１の周囲において、排水管路３００が、上下に挿通される程度に、少なくとも３つの管部が収まるだけの広さを有することが好ましい。加工のしやすさから略円形であることが好ましい。具体的には直径は、例えば、７０mm以上、より好ましくは１００ｍｍ以上、また、例えば、３００ｍｍ以下、より好ましくは２００ｍｍ以下であるとよい。
【００５３】
以上、ここで提案される簡易トイレ１０の一実施形態を説明した。本発明に係る簡易トイレは、特に言及されない限りにおいて、かかる簡易トイレ１０に限定されない。以下、簡易トイレ１０の変形例に言及する。
【００５４】
例えば、上述した実施形態では、便器本体１００の内周面に洗浄ノズルとしてのノズル１２０が取り付けられている（図３参照）。洗浄ノズル１２０は、必ずしも便器本体１００の内周面に無くてもよい。図示は省略するが、便器本体１００に洗浄液を供給する配管が便器本体１００の上部に配置されていてもよい。また、上述した負圧吸引式トイレでは、便器本体１００に注水されるように構成されていることが好ましい。例えば、上述したような洗浄ノズルから、便器本体１００内に注水してもよい。また、使用者や補助者が、簡易トイレ１０の近傍にペットボトルなどで予め水を用意しておき、適宜に便器本体１００に供給してもよい。また、使用者の肛門や陰部に向けて洗浄水を噴出するノズルが設けられていてもよい。このようなノズルは、便器本体１００の適当な位置に進出する可動式のものでもよい。
【００５５】
また、上述した実施形態では、簡易トイレ１０の外枠２００は、便器本体１００の外側を囲う周壁部２０２と、便器本体１００の底部を露出させる開口２０３とを備えている。上述した実施形態では、外枠２００の周壁部２０２は、簡易トイレ１０を側方から見た場合に、便器本体１００の側方を覆っている。このように、外枠２００の周壁部２０２が便器本体１００の側方を覆っていることによって、外観上、便器本体１００を隠すことができ、便器本体１００の意匠性が向上する。また、外枠２００の周壁部２０２が便器本体１００の側方を覆っていることによって、排尿時の音など便器本体１００で生じる音が側方に響くのを軽減することができる。また、上述した実施形態では、外枠２００は、上側部材２４０と下側部材２６０とを上下に組み合わせた構造である。かかる構造では、外枠２００の周壁部２０２は、上側部材２４０の側面と下側部材２６０の側面との２重構造であるため、便器本体１００で生じる音が側方に響くのをより小さくする効果が高い。便器本体１００の底部が露出しており、便器本体１００の底部に設けられた排出口に接続された排水管路のメンテナンスが容易になる。
【００５６】
なお、上述した実施形態では、周壁部２０２は、便器本体１００の側方を全周において覆っているが、周壁部２０２は、周方向の一部において、便器本体１００の側方を覆っていない部位があってもよい。また、図３に図示された実施形態では、外枠２００は、上側部材２４０と下側部材２６０とが上下に組み合わされた構造であるが、外枠２００はかかる構造に限定されない。
【００５７】
また、使用者の一般的な排便の量を考慮すると、便器本体１００は、所要の深さおよび容量が必要である。また、上述のように便器本体１００の側方に響く音を軽減するとの観点で、周壁部２０２は、便器本体１００の側方を覆っていることが望ましい。かかる観点において、外枠２００の周壁部２０２は、例えば、便器本体１００の底部１０１に対して、周壁部２０２を下方に長く延びており、開口２０３が低い位置に設けられてもよい。ただし、便器本体１００の底部１０１に対して、周壁部２０２を下方に延ばし過ぎる必要性はない。外枠２００の周壁部２０２を便器本体１００の底部１０１に対して、周壁部２０２を下方に延ばし過ぎると、重量増、材料コスト増などの観点において適当でない。
【００５８】
このため、便器本体１００の意匠性を向上させるとの観点および便器本体１００の側方に響く音を軽減させるとの観点において、例えば、図３に示すように、便器本体１００の底部１０１と、外枠２００の開口２０３とを大凡同じ高さにするとよい。外枠２００の開口２０３の高さｈ２は、例えば、外枠２００の開口２０３が設けられた外枠２００の底面（図３の形態では、下側部材２６０の底部２６１の高さ）である。図１０は、図３に示された形態における、便器本体１００の底部１０１に対する、外枠２００の開口２０３の高さｈ２を示している。
【００５９】
また、便器本体１００は、外周面に防音材を巻くなど、便器本体１００で生じる音を軽減する措置をとってもよい。この場合、便器本体１００の側方に響く音を軽減するとの観点で、外枠２００の周壁部２０２は、便器本体１００の側方を完全に覆っていなくてもよい。また、便器本体１００の底部１０１は、上方からは見えない位置であり、使用者が通常使用する場合において見えにくい。このため、外枠２００の開口２０３の高さｈ２は、便器本体１００の底部１０１よりもやや上方（例えば、３ｃｍ程度上）に設けられていてもよい。ここで提案される簡易トイレ１０は、図３に図示された形態に限定されず、外枠２００の周壁部２０２は、便器本体１００の外側を概ね囲っているとよく、便器本体１００の外側の側方を完全に囲っている必要はない。なお、外枠２００の開口２０３の高さｈ２は、便器本体１００の底部１０１よりも下に設定されて、外枠２００の周壁部２０２が便器本体１００の外側の側方を完全に囲っていてもよい。
【００６０】
また、上述した実施形態では、図３に示すように外枠２００の開口２０３に設けられる内壁２０４として、上側部材２４０の開口２４７には、別体で樹脂成形されたフランジ２４８ａ付きの管材２４８が取り付けられている。内壁２０４は、かかる形態に限定されない。図１２から図１４は、外枠２００の開口２０３に設けられる内壁２０４の加工方法について、他の形態を例示する模式図である。例えば、図１２に示すように、外枠２００は、開口２０３の周りが内側に内壁２０４が立ち上がった一体成形品でもよい。成形加工が一発で行えるので、生産性がよい。しかしながら、この方法では、金型の加工コストが嵩んだり、内壁２０４が金型に食い込むために成形品を金型から取り外す作業（型抜き）が難しくなったりする場合がある。
【００６１】
他の方法として、例えば、図１３に示すように、外枠２００を熱可塑性樹脂で成形するとともに、外枠２００の底部に所要の大きさの孔２０３ａを開ける。かかる孔２０３ａは、成形後にドリルなどで、平坦な外枠２００の底部に孔を開けてもよい。また、金型成形時に平坦な外枠２００の底部に孔を形成してもよい。そして、図１４に示すように、当該孔に、略半球形の突部６０２を有する型６００を熱せられた状態で、当該孔２０３ａの下から上に引き抜く。これにより、孔２０３ａの縁２０３ａ１を型６００に沿って変形させて、上方に立ち上がった内壁２０４を形成してもよい。このように外枠２００の開口２０３の内壁２０４を形成する方法は、種々の方法を採用できる。
【００６２】
以上の通り、ここで提案される簡易トイレについて、種々の変形例を説明した。ここで提案される簡易トイレ１０は、特に言及されない限りにおいて、かかる変形例にも限定されない。
【産業上の利用可能性】
【００６３】
本発明は、簡易トイレとして産業上利用可能である。
【符号の説明】
【００６４】
１０  簡易トイレ
１２、１３  脚
１２ａ、１３ａ  キャスター
１４、１５  肘掛け
１６  背もたれ
１８  給水タンク
２０  脱臭装置
１００  便器本体
１０１  底部
１０１ａ  排出口
１０１ａ１  排出口１０１ａの上縁
１０２  便器本体１００の上部
１０２ａ  便器本体１００の上縁
１１０  接続部
１１１  便受部
１１１ａ  便受部１１１の上縁
１１２  段差部
１１２ａ  段差部１１２の上縁
１１３  傾斜面部
１１４  管
１２０  ノズル
１７０  便座
１７２  上蓋
２００  外枠
２０１  据置部
２０２  周壁部
２０３  開口
２０４  内壁
２１０  内部空間
２２１  トイレ本体
２２２  トレイ
２３１  開口
２３２  壁部
２３４  吸い込み口
２３５  便座１７０を取り付ける取付部
２３６  上蓋１７２を取り付ける取付部
２３８  蓋
２４０  上側部材
２４１  上側部材２４０の上面部
２４２  上側部材２４０の側面部
２４３  上側部材２４０の下縁
２４５  トレイ２２２を載置する載置部
２４６  上側部材２４０の窪み
２４７  上側部材２４０の開口
２４８  管材
２４８ａ  フランジ
２４９  溝
２６０  下側部材
２６１  下側部材２６０の底部
２６２  下側部材２６０の側面部
２６３  下側部材２６０の上縁
２６７  下側部材２６０の開口
２６７ａ  開口２６７周りに設けられたリブ
３００  排水管路
３０１  第１接続部
３０２  管路部
３０２ａ  立ち上がり部
３０２ａ１  立ち上がり部３０２ａの最上部の管路の底
３０３  第２接続部
３２１  第１折曲部
３２２  第１管部
３２３  第２折曲部
３２４  第２管部
３２５  内部管部
３２６  第３管部
３２７  第３折曲部
３２８  外部管部
３３１  第１折曲部
３３２  第１管路
３３３  第２折曲部
３３４  第２管路
３３５  第３折曲部
３３６  第３管路
３３７  第４折曲部
３４０  金具
３４２  蝶ボルト
４００  負圧タンク
４０１  外部配管
【図１】
0006475577.tif 000002
【図２】
0006475577.tif 000003
【図３】
0006475577.tif 000004
【図４】
0006475577.tif 000005
【図５】
0006475577.tif 000006
【図６】
0006475577.tif 000007
【図７】
0006475577.tif 000008
【図８】
0006475577.tif 000009
【図９】
0006475577.tif 000010
【図１０】
0006475577.tif 000011
【図１１】
0006475577.tif 000012
【図１２】
0006475577.tif 000013
【図１３】
0006475577.tif 000014
【図１４】
0006475577.tif 000015